(57)【要約】【課題】導光設備が結合される浴室ユニットであって、天井におけるカビの発生を防ぐことができる浴室ユニットを提供する。【解決手段】屋外から光を導入する光ダクトが結合される浴室ユニット１において、天井４に、光ダクトにより導入された光を浴室ユニット１内に放光する放光口６を設ける。また、放光口６の直下域に位置するように、光反射部材７を天井４から吊り下げる。光反射部材７においては、４本の支持脚により、上面が光反射面とされた光反射板を、放光口６の直下域を含む領域において支持し、この光反射板上における放光口６の直下域に、形状が四角錐体である光反射体を取り付ける。【選択図】図２
2008082081.tif 000002
【特許請求の範囲】
【請求項１】
屋外から光を導入する導光設備が結合される浴室ユニットであって、
前記浴室ユニットの天井に設けられ、前記導光設備により導入された光を前記浴室ユニット内に放光する放光口と、
前記天井から前記放光口の直下域に位置するように吊り下げられた光反射部材と、
を備えたことを特徴とする浴室ユニット。
【請求項２】
前記光反射部材は、前記放光口から出射した光を側方に向けて反射する光反射体を有することを特徴とする請求項１記載の浴室ユニット。
【請求項３】
前記光反射体の形状は四角錐体であり、その頂点が前記放光口側を向くように配置されていることを特徴とする請求項２記載の浴室ユニット。
【請求項４】
前記光反射部材は、
前記天井に取り付けられた支持脚と、
前記支持脚により前記放光口の直下域を含む領域に吊り下げられ、その上面が光反射面とされた光反射板と、
をさらに有し、
前記光反射体は、前記光反射板の上面に取り付けられていることを特徴とする請求項２または３に記載の浴室ユニット。
【請求項５】
前記放光口は、前記浴室ユニットの点検口を兼ねており、
前記光反射部材は、前記天井に対して着脱可能であることを特徴とする請求項１〜４のいずれか１つに記載の浴室ユニット。
【請求項６】
前記天井には、光触媒がコーティングされていることを特徴とする請求項１〜５のいずれか１つに記載の浴室ユニット。
【発明の詳細な説明】
【技術分野】
【０００１】
本発明は、浴室ユニットに関し、特に、屋外から光を導入する導光設備が結合される浴室ユニットに関する。
【背景技術】
【０００２】
近年、住宅等の建築物に光ダクトを設ける技術が開発されている。光ダクトとは、建築物の屋外から屋内まで連通し、その内面が光反射面となった筒状の部材であり、屋外の自然光を屋内に導入するものである。建築物にこのような光ダクトを設けることにより、日中の豊富な自然光を室内の照明に利用することができるため、照明コストを節約し、省エネルギー効果及び環境負荷軽減効果を得ることができる。また、室内に自然光を導入することにより、室内の居住性を向上させることができる。
【０００３】
特許文献１には、浴室ユニットに連通された排気ダクトの内部に光ダクトを設けることにより、浴室ユニットに光ダクトを結合する技術が開示されている。この技術においては、排気ダクトの内部に光ダクトを収納しているため、光ダクトにより導入された外光を浴室ユニット内に放光する放光口は、浴室ユニット内の空気を排気ダクトに導入する排気口の内部に設けられるか、又は排気口に隣接して設けられる。通常、排気口は浴室ユニットの天井における浴槽側の領域に設けられているため、光ダクトの放光口も、天井における浴槽側の領域に設けられることになる。
【０００４】
一方、浴室ユニット内は湿度が高く、カビが発生しやすいという問題がある。特に、浴室ユニットの天井は、手が届かず清掃が困難であるため、カビが発生しやすく、また、発生したカビを除去することが困難である。
【０００５】
【特許文献１】実開昭６０−０３３２４０号公報
【発明の開示】
【発明が解決しようとする課題】
【０００６】
本発明の目的は、導光設備が結合される浴室ユニットであって、天井におけるカビの発生を防ぐことができる浴室ユニットを提供することである。
【課題を解決するための手段】
【０００７】
本発明の一態様によれば、屋外から光を導入する導光設備が結合される浴室ユニットであって、前記浴室ユニットの天井に設けられ、前記導光設備により導入された光を前記浴室ユニット内に放光する放光口と、前記天井から前記放光口の直下域に位置するように吊り下げられた光反射部材と、を備えたことを特徴とする浴室ユニットが提供される。
【発明の効果】
【０００８】
本発明によれば、導光設備が結合され、天井におけるカビの発生を防ぐことができる浴室ユニットを実現することができる。
【発明を実施するための最良の形態】
【０００９】
以下、図面を参照しつつ本発明の実施形態について説明する。  
図１は、本実施形態に係る浴室ユニットが設けられた建築物を例示する模式的断面図であり、  
図２は、この浴室ユニットを例示する斜視図であり、  
図３は、この浴室ユニットにおける光反射部材を例示する断面図である。
【００１０】
図１に示すように、本実施形態に係る浴室ユニット１は、建築物、例えば住宅１０１に設置されている。住宅１０１においては、導光設備としての光ダクト１０２が配設されている。光ダクト１０２の一方の端部は、例えば住宅１０１の屋根に設けられた採光部１０３に結合されており、他方の端部は、浴室ユニット１の天井に結合されている。採光部１０３は、透明板からなるドームによって覆われており、砂や埃は通過させないが光は透過させる。光ダクト１０２の内部は中空であり、その内面は光反射面となっており、例えば、鏡面又は白色面となっている。これにより、光ダクト１０２は、住宅１０１の外部から採光部１０３を介して導入された外光Ｌを、その内面において反射しつつ導光して、浴室ユニット１の内部に導入する。
【００１１】
図１及び図２に示すように、浴室ユニット１においては、床の一方の側に浴槽２が設けられており、他方の側が洗い場３となっている。浴室ユニット１の天井４には、光ダクト１０２により導入された外光Ｌを浴室ユニット１内に放光する放光口６が設けられている。そして、天井４からは、放光口６の直下域に位置するように、光反射部材７が吊り下げられている。
【００１２】
図３に示すように、光反射部材７においては、支持脚８、光反射板９及び光反射体１０が設けられている。支持脚８は、例えば垂直方向に延びる棒状の部材であり、その上端部が天井４に取り付けられている。支持脚８は例えば４本設けられている。光反射板９は、例えば矩形の板状部材であり、その４つの角部がそれぞれ支持脚８の下端部に連結されている。これにより、光反射板９は、４本の支持脚８により、放光口６の直下域を含む領域において、天井４に対して略平行に支持されている。下方から見て、光反射板９の外縁は放光口６の外縁の外側にある。このため、浴槽２内又は洗い場３にいる入浴者から見て、放光口６は光反射板９により隠されている。
【００１３】
光反射板９の上面は光反射面とされている。光反射面とは、例えば、鏡面又は白色面であり、例えば、アルミニウム若しくはステンレスなどの金属面、又はこれらの金属面の表面に酸化アルミニウム若しくは樹脂などの被覆層が積層された面である。また、光反射板９の下面は、入浴者の視線に曝される面であるため、化粧面とされていることが好ましい。なお、光反射板９には、上方から入射した光の一部を反射して、残部を透過させる半透過板を使用してもよい。
【００１４】
また、光反射板９の上面における放光口６の直下域には、光反射体１０が取り付けられている。光反射体１０には、天井４の下面、例えば水平面に対して傾斜した光反射面１０ａが形成されており、この光反射面１０ａにより、放光口６から出射された光を側方に向けて反射する。例えば、光反射体１０の形状は四角錐体であり、その４つの側面が光反射面１０ａとされており、その頂点が上方、すなわち、放光口６側を向くように配置されている。光反射体１０の中心軸は、例えば、光ダクト１０２の先端部の中心軸が延びる方向、すなわち垂直方向に延びている。そして、各光反射面１０ａは、天井４の４辺の端縁部のそれぞれに向いている。
【００１５】
なお、放光口６には、光を透過させる光透過板１２がはめ込まれている。光透過板１２は、例えば、透明樹脂からなる透明板又は乳白色の樹脂からなる半透明板である。また、天井４、光透過板１２及び光ダクト１０２の連結部分には、リング状のパッキン１３が設けられている。これにより、放光口６の水密性が担保されている。また、浴室ユニット１の天井４には、放光口６の他に、例えば、点検口（図示せず）及び排気口（図示せず）が設けられている。
【００１６】
また、図２に示すように、例えば、浴室ユニット１の側壁１４のうち、浴槽２の足側に位置する面における洗い場３側の領域には、入浴者のほぼ全身が映せるような大型の鏡１５が取り付けられている。また、鏡１５の向かって右側の側方には多段の収納棚１６が造り付けられており、鏡１５の向かって左側の側方にはシャワー１７が取り付けられており、鏡１５の下方にはカウンター１８が設けられている。
【００１７】
次に、本実施形態に係る浴室ユニットの動作について説明する。  
図１に示すように、住宅１０１の外部から外光Ｌ、例えば太陽光が、採光部１０３を介して光ダクト１０２の内部に導入される。この外光Ｌは、光ダクト１０２の内面によって繰り返し反射されながら光ダクト１０２内を伝達し、浴室ユニット１の放光口６から、浴室ユニット１の内部に導入される。
【００１８】
そして、放光口６から出射した光のうち、略直下に向けて出射した光は、光反射部材７の光反射体１０の光反射面１０ａに到達し、この光反射面１０ａによって側方に向けて反射され、天井４に直接照射されるか、又は光反射板９の上面によって反射された後、天井４に照射される。一方、放光口６から出射した光のうち、斜め下方に向けて出射した光は、光反射板９の上面に到達し、この上面によって反射されて、天井４に照射される。これにより、天井４を照明すると共に、天井４を加熱して、乾燥させる。
【００１９】
次に、本実施形態の効果について説明する。  
上述の如く、本実施形態においては、光ダクト１０２により浴室ユニット１に導入された外光Ｌは、光反射部材７によって反射されて、天井４に向けて照射される。これにより、外光Ｌに含まれる赤外線成分が天井４を加熱して乾燥させるため、天井４におけるカビの発生を防止することができる。また、外光Ｌに含まれる紫外線成分によっても、カビの発生を防止することができる。この結果、手が届きにくく、清掃が困難な浴室の天井に対して、清掃作業及びカビの除去作業などを行う必要性を低減させることができる。  
これに対して、特許文献１に記載の技術においては、放光口の直下に光反射部材が設けられていないため、光ダクトにより浴室内に導入された光は天井には照射されない。このため、天井におけるカビの発生を効果的に防止することはできない。
【００２０】
また、本実施形態においては、光反射体１０の形状を四角錐体としているため、矩形の天井４の隅々まで光を供給することができる。これにより、特にカビが発生しやすい天井４の周辺領域、すなわち、４辺の端縁領域に対して光を確実に供給し、これらの端縁領域におけるカビの発生をより確実に防止することができる。なお、放光口６の位置が天井４の中心からずれている場合は、このずれに対応させて光反射体１０の配設位置を放光口６の中心軸上からずらすか、又は、光反射体１０の形状を非対称とすることにより、天井４に供給される光の分布を均一化することができる。
【００２１】
更に、本実施形態においては、光反射部材７に光反射板９が設けられているため、放光口６から斜め下方に出射した光、及び光反射体１０の光反射面１０ａによって斜め下方に反射された光を上方に向けて反射し、天井４に照射することができる。これにより、放光口６から出射した光を、取りこぼすことなく確実に上方に向けて反射し、天井４に対して供給することができる。
【００２２】
更にまた、本実施形態においては、放光口６から導入した外光を、一旦、天井４に対して照射し、天井４の反射光により浴室ユニット１内を照明している。これにより、柔らかく、影ができにくい間接照明を実現することができる。
【００２３】
以上、実施形態を参照しつつ、本発明の特徴を説明した。しかし、本発明は、この実施形態に限定されるものではなく、前述の実施形態に係る浴室ユニットを構成するいずれかの要素について、当業者が適宜追加、省略又は設計変更を加えたものであっても、本発明の要旨を備えたものであれば、本発明の範囲に包含される。
【００２４】
例えば、前述の実施形態において、放光口６は浴室ユニットの点検口を兼ねていてもよい。この場合は、光反射部材７を天井４に対して着脱可能とする。また、光透過板１２も、天井４に対して着脱可能とし、点検口の蓋を兼ねさせる。更に、光ダクト１０２の先端部を、放光口６に対して着脱可能とする。これにより、点検作業者は、天井４から光反射部材７を取り外し、光透過板１２及び光ダクト１０２の先端部を放光口６から取り外すことにより、放光口６を開口させ、放光口６を介して点検作業を行うことができる。なお、このとき、光ダクト１０２の先端部を、水平方向又は垂直方向に移動可能としており、浴室ユニット１上の任意の場所に退避させてもよい。
【００２５】
また、前述の実施形態において、浴室ユニットの天井の下面に、光触媒がコーティングされていてもよい。この結果、光触媒に光が照射されることにより、この光触媒が環境浄化機能を発揮し、かびの発生をより効果的に防止することができる。例えば、光触媒として酸化チタンを使用すると、光が照射されることにより酸化力が生じ、カビの胞子などの有機物を水や二酸化炭素に分解することができる。なお、自然光には可視光成分が多く含まれるため、光触媒として、可視光応答型光触媒を使用することがより好ましい。
【００２６】
更に、前述の実施形態において、光透過板１２の材料を赤外線を透過させやすい材料とすることにより、より効果的に天井を加熱し、乾燥させることができる。また、光透過板１２の材料を紫外線を透過させやすい材料とすることにより、紫外線による殺菌効果が得られると共に、上述の光触媒をより効率的に機能させることができる。
【００２７】
更にまた、前述の実施形態においては、屋外から浴室ユニット内に外光を導入する導光設備が光ダクトである例を示したが、本発明はこれに限定されず、導光設備は例えば光ファイバであってもよい。
【図面の簡単な説明】
【００２８】
【図１】本発明の実施形態に係る浴室ユニットが設けられた建築物を例示する模式的断面図である。
【図２】本発明の実施形態に係る浴室ユニットを例示する斜視図である。
【図３】本発明の実施形態に係る浴室ユニットにおける光反射部材を例示する断面図である。
【符号の説明】
【００２９】
１  浴室ユニット、２  浴槽、３  洗い場、４  天井、６  放光口、７  光反射部材、８  支持脚、９  光反射板、１０  光反射体、１０ａ  光反射面、１２  光透過板、１３  パッキン、１４  側壁、１５  鏡、１６  収納棚、１７  シャワー、１８  カウンター、１０１  住宅、１０２  光ダクト、１０３  採光部、Ｌ  外光
【図１】
2008082081.tif 000003
【図２】
2008082081.tif 000004
【図３】
2008082081.tif 000005